Podtech/llm-jp-corpus-v4-ja_patent huggingface dataset:
(57)【要約】【課題】マウスピースとリードを固定するリガチャーの締め付けのみを目的とするリガチャーネジではなく、リガチャーの締め付けと同時に音質や吹きやすさが改善されるリガチャーネジを提供する。【解決手段】マウスピースとリードとリガチャーを装着した状態で、リガチャーネジの重心を変更し、全体の重心を中心に設ける事を特徴とする。【選択図】図１
2018105943.tif 000002
【特許請求の範囲】
【請求項１】
マウスピースとリードとリガチャーを装着した状態で、リガチャーネジの重心を変更することで、リガチャー全体の重心を中心に設ける事を目的としたリガチャーネジ。
【発明の詳細な説明】
【技術分野】
【０００１】
本発明は、リガチャーネジ１の重心を変更する事で音質の改善、および吹きやすさの改善を図るものである。
【背景技術】
【０００２】
従来のリガチャーネジ１は図３においてリード２とマウスピース４を固定するためのリガチャー３の締付けを目的としているため、指で回しやすいように持ち手部が大きいものが主流である。
【０００３】
そのため図３のように中心をＰとしたとき、リード２に対し、リガチャーネジ１の左右の重さバランスが悪く、リガチャーネジ１を締め付けたとき、リガチャー３の重心が中心にない状態である。
【先行技術文献】
【特許文献】
【０００４】
【特許文献１】特開2010-026264
【特許文献２】特開2012-48164
【発明の概要】
【発明が解決しようとする課題】
【０００５】
図３において、持ち手の大きいリガチャーネジ１がリガチャー３に取付けてあることで、リード２に対し、リガチャー３の重心が中心Ｐから、ずれており、振動体であるリード２に左右均等で正確な振動が与えられず、音質や吹きやすさに難があった。
【０００６】
図４のように１８０度対向したリガチャー３、およびリガチャーネジ１も同様である。
【課題を解決するための手段】
【０００７】
本発明は、図２のようにマウスピース４とリード２とリガチャー３を装着した状態で、リガチャーネジ１の重心を変更し、中心Ｐに対して全体の左右のバランスを同じにすることを最も主要な特徴とする。
【発明の効果】
【０００８】
本発明のリガチャーネジ１は、図１図２のように、マウスピース４とリード２を固定するという本来の目的と同時に、リガチャーネジ１の重心を変更しリガチャー３全体のバランスを中心に置くことで、リード２が左右均等に振動し、正確な振動が得られ、吹きやすさや音質が改善されるという２つの利点がある。
【図面の簡単な説明】
【０００９】
【図１】本発明のリガチャーネジを装着した斜視図である。
【図２】本発明のリガチャーネジを装着した断面図である。
【図３】従来のリガチャーネジ断面図である。
【図４】従来のリガチャーネジ取付方向が１８０度対向した断面図である。
【発明を実施するための形態】
【００１０】
マウスピース４とリード２とリガチャー３を仮止めした状態で全体の重心を測定し、図２の中心Ｐに全体の重心がくるようにリガチャーネジを製作する。
本発明は以上のような構造である。
これを使用するときはマウスピース４とリード２とリガチャー３を装着し、リガチャー３のネジ穴に差し込み、固定する。
【符号の説明】
【００１１】
１  リガチャーネジ
２  リード
３  リガチャー
４  マウスピース
【図１】
2018105943.tif 000003
【図２】
2018105943.tif 000004
【図３】
2018105943.tif 000005
【図４】
2018105943.tif 000006